(57)【要約】【課題】車両後部の強度を確保しかつ軽量化を促進する。【解決手段】車両の屋根の後端部にて車幅方向に延在するリアルーフレール１と、屋根の車幅方向縁部にて前後方向に延在するサイドルーフレール２と、車両後端部にて車両上下方向に延在するリアピラー３とを有し、サイドルーフレールとリアピラーとを分断し、その分断されたリアピラーに、リアルーフレールに車両前後方向に臨むように設けられた縦壁１ｂと一体的に連続する縦壁３ｂを設ける。車両後部の上側コーナ部における側方からの荷重を上記連続する縦壁の長手方向剪断面により受けることができ、スチフナなどの補強部材を設けることなく、車両後部の上側コーナ部の剛性を高くすることができ、車両後部のフレーム構造において重量が増加することなく高い剛性を確保することができる。【選択図】図２
2008308071.tif 000002
【特許請求の範囲】
【請求項１】
車両の後端部にて屋根に沿って延在するリアルーフレールと、前記屋根の車幅方向縁部に設けられたサイドルーフレールと、前記車両の後端部にて車両上下方向に延在するように設けられたリアピラーとを有し、前記リアルーフレールと前記サイドルーフレールと前記リアピラーとが三方から集合する部分により前記車両の後端部の上側コーナ部を形成するようにした車両後部の上側コーナ部のフレーム構造であって、
前記リアピラーが、前記サイドルーフレールと分断された別部材により形成され、
前記リアルーフレールと前記リアピラーとに車両前後方向に臨む縦壁がそれぞれ立設状態に設けられ、かつ前記各縦壁が互いに一体的に連続するように結合されていることを特徴とする車両後部の上側コーナ部のフレーム構造。
【発明の詳細な説明】
【技術分野】
【０００１】
本発明は、車両の後端部にて車両側面に沿って延在するように設けられた車両後部の上側コーナ部のフレーム構造に関するものである。
【背景技術】
【０００２】
従来、四輪自動車、特に車両後面にはね上げ式ドアを設けたハッチバック型自動車の後部フレーム構造において、車両後部にて屋根に沿って延在するリアルーフレールと、リアルーフレールの各端部から車両下部に至る左右のリアピラーとが設けられ、それらと、車両側壁を形成するインサイドパネルの後端部とを一体的に結合状態にして、車両後部のフレームを形成しているものがある。そのようなフレーム構造にあっては、車両後部のドア（テールゲート）に対応する開口部分の強度を確保する必要があり、例えばシートベルト用アンカーボルトを取り付ける部分の補強としてアンカー補強部材を設けたものがあり、それにより上記開口部分の強度を確保することができる（例えば特許文献１参照）。
【特許文献１】特開平９−２１６５４６号公報
【発明の開示】
【発明が解決しようとする課題】
【０００３】
上記特許文献１のような構造のリアルーフレール２１にあっては、その強度確保のために断面形状をＬ字形にしている。そのＬ字形における一方の辺となる部分が車両上下方向に臨む立設状態の縦壁２１ａとなり、したがって縦壁２１ａは車両幅方向に延在するように設けられている。また、車両側壁を構成するインサイドパネル２２の屋根側縁部にも、上記縦壁２１ａの延長となるように、縦壁２１ａに連続する形状の縦壁２２ａが設けられている。なお、車幅方向から前後方向へ向きを変える曲折部分は縦壁２２ａ側に設けられている。
【０００４】
これにより、インサイドパネル２２とリアルーフレール２１との間の強度は確保されるが、縦壁２１ａ・２２ａが車幅方向から前方向へと流れるように設けられているため、屋根の面に沿う方向の荷重に対しては高い剛性を確保し得るが、リアルーフレール２１とリアピラー２３とにより形成される車両後部のドア用開口部分側となる車両後面に沿う方向の荷重に対しては、上記縦壁２１ａ・２２ａにより高い剛性を確保することはできない。そのため、例えば図６に示されるように、リアルーフレール２１とリアピラー２３とに渡って沿う形状に形成された補強部材としてのスチフナ２４をリアルーフレール２１とリアピラー２３とに渡って接合することで、車両後部の開口部分の強度を高くすることができる。
【０００５】
しかしながら、スチフナ２４を設けた場合には、各フレーム部材とは別個の部材を追加することから部品点数の増加およびそれに伴う溶接工程の増加ばかりでなく、重量も増加してしまい、車両全体の軽量化が促進されないという問題もあった。
【課題を解決するための手段】
【０００６】
このような課題を解決して、車両後部の強度を確保しかつ軽量化を促進することを実現するために本発明に於いては、車両の後端部にて屋根（４）に沿って延在するリアルーフレール（１）と、前記屋根（４）の車幅方向縁部に設けられたサイドルーフレール（２）と、前記車両の後端部にて車両上下方向に延在するように設けられたリアピラー（３）とを有し、前記リアルーフレール（１）と前記サイドルーフレール（２）と前記リアピラー（３）とが三方から集合する部分により前記車両の後端部の上側コーナ部を形成するようにした車両後部の上側コーナ部のフレーム構造であって、前記リアピラー（３）が、前記サイドルーフレール（２）と分断された別部材により形成され、前記リアルーフレール（１）と前記リアピラー（３）とに車両前後方向に臨む縦壁（１ｂ・３ｂ）がそれぞれ立設状態に設けられ、かつ前記各縦壁（１ｂ・３ｂ）が互いに一体的に連続するように結合されているものとした。
【発明の効果】
【０００７】
このように本発明によれば、リアピラーをサイドルーフレールと分断し、リアルーフレールとリアピラーとにそれぞれ車両前後方向に臨む縦壁を設け、各縦壁を一体的に連続するように結合したことから、車両後部の上側コーナ部における側方からの荷重を上記連続する縦壁の長手方向剪断面により受けることができる。これにより、スチフナなどの補強部材を設けることなく、車両後部の上側コーナ部の剛性を高くすることができ、車両後部のフレーム構造において重量が増加することなく高い剛性を確保することができる。
【発明を実施するための最良の形態】
【０００８】
以下、本発明の実施の形態を、図面を参照しながら説明する。図１は本発明が適用された四輪自動車の全体を斜め後方から見た斜視図であり、図２は、図１の矢印IIで示された丸で囲った部分である車両後部の上側角部のフレーム構造について示す要部拡大図である。なお、図１では左側コーナ部のみ丸囲いしているが、右側コーナ部も同様であり、左側コーナ部を代表して説明する。
【０００９】
図２に示されるように、車両後部の上側角部としてのコーナ部には、車体の内面を形成するインナ部材として、ルーフリアレール１とサイドルーフレール２とリアピラー３とが互いに付き合わせ状態に集合して一体化されている。ルーフリアレール１は、車両の屋根（図１の符号４）の車両後部にて車幅方向に延在するように設けられ、サイドルーフレール２は、屋根４の車両幅方向側縁部にて車両前後方向に延在するように設けられ、リアピラー３は、リアフェンダー５の車両後側縁部であって屋根４とフロア側フレーム（図示せず）との間にて車両上下方向に延在するように設けられている。
【００１０】
ルーフリアレール１は、図３に示されるように例えば板材をプレス加工してＬ字形断面形状になるように形成されている。ルーフリアレール１にあっては、そのＬ字形の１方の辺となる部分が屋根４の面に対峙する底壁１ａとなり、他方の辺となる部分が車両前後方向に臨むように底壁１ａに立設状態の縦壁１ｂとなる。
【００１１】
サイドルーフレール２とリアピラー３とはコーナ部にて車両前後方向に分断されている。なお、図示例では、車体側壁の内側となるインサイドパネル６の屋根４との接続部分にサイドルーフレール２が一体に形成されており、そのインサイドパネル６の車両後側縁部に対してリアピラー３が全長に渡って分断されている。なお、組み立て工程においてインサイドパネル６とリアピラー３とは溶接により一体化される。
【００１２】
そのリアピラー３は、屋根４側の上端部にてルーフリアレール１の端部と溶接により接続されている。それにより、ルーフリアレール１とリアピラー３とは１本の部材として連続することになる。そして、リアピラー３にあっては、図４および図５に示されるように、略Ｌ字形断面形状に形成され、かつそのＬ字形の１方の辺となる部分がルーフリアレール１の底壁１ａと連続する底壁３ａとして、他方の辺となる部分がルーフリアレール１の縦壁１ｂと連続する縦壁３ｂとしてそれぞれ形成されている。なお、図４および図５には、図２では示されていないアウトサイドパネル７およびリアピラーのアウトサイド部材８が図示形状の補助として示されている。
【００１３】
このようにして、ルーフリアレール１の縦壁１ｂとリアピラー３の縦壁３ｂとが一体的に連続するようになり、両縦壁１ｂ・３ｂからなる連続縦壁形状部分が屋根４から側面に至るように回り込む構造となるため、車両後部におけるコーナ部に対する側方からの荷重に対して高い剛性が確保され、リアピラー３の変位が防止される。そして、従来構造のようにスチフナを設けることなく、上記高剛性を実現し得ることから、フレーム構造における軽量化を促進し得る。
【図面の簡単な説明】
【００１４】
【図１】本発明が適用された四輪自動車の全体を斜め後方から見た斜視図である。
【図２】図１の矢印II線で示した部分のインナ部材の要部拡大斜視図である。
【図３】図２の矢印III−III線に沿って見た断面図である。
【図４】図２の矢印IＶ−IＶ線に沿って見た断面図である。
【図５】図２の矢印Ｖ−Ｖ線に沿って見た断面図である。
【図６】従来の車両後部の上側コーナ部におけるインナ部材の要部拡大斜視図である。
【符号の説明】
【００１５】
１  ルーフリアレール
１ｂ  縦壁
２  サイドルーフレール
３  リアピラー
３ｂ  縦壁
４  屋根
【図１】
2008308071.tif 000003
【図２】
2008308071.tif 000004
【図３】
2008308071.tif 000005
【図４】
2008308071.tif 000006
【図５】
2008308071.tif 000007
【図６】
2008308071.tif 000008